(57)【要約】      （修正有）【課題】現金による振込取引を行なう場合であっても容易に利用者の本人確認を行なうことができる現金自動振込みシステムの提供。【解決手段】リモート本人確認装置４は表示部に自動車運転免許証等の証明書を読取可能になるようにスキャナ部にセットすることを促すメッセージ等を表示する。利用者が証明書をリモート本人確認装置４のスキャナ部にセットし、操作部の開始ボタン等を押下するとスキャナ部２３はセットされた証明書を読取る。証明書のイメージデータおよび本人画像データを受信したセンタ端末５は表示部にその証明書の画像および本人画像を表示する。オペレータは表示された証明書の内容を確認し、また、その証明書に貼付された本人の顔写真と表示された本人画像を確認し利用者本人であることを確認する。【選択図】図１
2006338278.tif 000002
【特許請求の範囲】
【請求項１】
利用者が自動取引装置を操作して投入した現金の振込み取引を行なう現金自動振込みシステムにおいて、
本人確認のための証明書のイメージデータを取得するスキャナ部と、センタ端末との間で情報の送受を行う第一の通信部と、利用者の本人確認が完了していることを示す本人確認カードを発行する媒体発行部とを有するリモート本人確認端末と、
リモート本人確認端末との間で情報の送受を行う第二の通信部と、前記リモート本人確認端末から受信したイメージデータを表示する表示部と、オペレータが該表示部への表示に基づき利用者の本人確認ができた際に確認できた旨を入力する確認結果入力部と、該確認結果入力部への入力に応じて前記リモート本人確認端末に本人確認カードの発行を指示する第一の制御部とを有するセンタ端末と、
本人確認カードの挿入を確認するためのカードリーダ部と、振込み取引のための操作案内および情報を入力する操作表示部と、振込み取引のための現金を受入れる入金部と、該操作表示部への入力情報および入金部へ入金された現金に基づきホストコンピュータとの間で情報を授受し振込処理を行う第二の制御部とを有する自動取引装置とを備え、
振込み取引以前に前記本人確認カードを発行し、振込取引時に前記自動取引装置が前記本人確認カードの挿入を確認した後に振込処理を実行することを特徴とする現金自動振込みシステム。
【請求項２】
利用者が自動取引装置を操作して投入した現金の振込み取引を行なう現金自動振込みシステムにおいて、
本人確認のための証明書のイメージデータを取得するスキャナ部と、センタ端末との間で情報の送受を行う第一の通信部と、利用者の本人確認が完了していることを示すＩＤ番号ならびにパスワードを印刷した紙媒体を発行する媒体発行部および該ＩＤ番号ならびにパスワードを表示する表示部の少なくともどちらか一方とを有するリモート本人確認端末と、
前記ＩＤ番号およびパスワードを記憶する本人確認情報ファイルと、
リモート本人確認端末との間で情報の送受を行う第二の通信部と、前記リモート本人確認端末から受信したイメージデータを表示する表示部と、オペレータが該表示部への表示に基づき利用者の本人確認ができた際に確認できた旨を入力する確認結果入力部と、該確認結果入力部への入力に応じて前記リモート本人確認端末に前記ＩＤ番号およびパスワードを印刷した紙媒体の発行または前記ＩＤ番号およびパスワードの表示を指示する第一の制御部とを有するセンタ端末と、
前記ＩＤ番号およびパスワード、振込み取引のための操作案内および情報を入力する操作表示部と、振込み取引のための現金を受入れる入金部と、該操作表示部への入力情報および入金部へ入金された現金に基づきホストコンピュータとの間で情報を授受し振込処理を行う第二の制御部とを有する自動取引装置とを備え、
振込み取引以前に前記ＩＤ番号およびパスワードを発行し、振込取引時に前記自動取引装置が前記本人確認情報ファイルに記憶された前記ＩＤ番号およびパスワードが入力されたことを確認した後に振込処理を実行することを特徴とする現金自動振込みシステム。
【請求項３】
請求項２の現金自動振込みシステムにおいて、
前記センタ端末の第一の制御部が、前記リモート本人確認端末に前記ＩＤ番号およびパスワードに加えＩＤ番号の有効期限を印刷した紙媒体の発行または前記ＩＤ番号およびパスワードに加えＩＤ番号の有効期限の表示を指示するようにしたことを特徴とする現金自動振込みシステム。
【請求項４】
請求項２または請求項３の現金自動振込みシステムにおいて、
前記リモート本人確認端末にさらに入力を受け付ける操作部を設け、
前記センタ端末の第一の制御部が生成するパスワードを前記リモート本人確認端末の操作部で入力するようにしたことを特徴とする現金自動振込みシステム。
【請求項５】
請求項１から請求項３または請求項４の現金自動振込みシステムにおいて、
前記リモート本人確認端末にさらに利用者を撮影するカメラ部を設け、
前記カメラ部で利用者を撮影した画像データを前記証明書のイメージデータとともにセンタ端末へ送信するようにしたことを特徴とする現金自動振込みシステム。
【請求項６】
請求項１から請求項４または請求項５の現金自動振込みシステムにおいて、
利用者の氏名、電話番号等の利用者情報を記憶した本人確認情報ファイルを設け、
前記本人確認情報ファイルから読み出された利用者情報を該自動取引装置が受信して振込処理を実行するようにしたことを特徴とする現金自動振込みシステム。
【発明の詳細な説明】
【技術分野】
【０００１】
本発明は、金融機関等の現金自動振込みシステムに関し、特に現金による振込取引における利用者の本人確認を行なう現金自動振込みシステムに関する。
【背景技術】
【０００２】
従来の現金自動振込みシステムは、自動取引装置で振込依頼人が振込先の金融機関名、支店名、口座番号等の振込先情報を操作部から入力して振込取引を行なっていた。また、この振込先情報を予め振込情報ファイルに格納しておき自動取引装置の操作部で行なう簡単なキー操作により振込先を選択して振込取引を行なっていた（例えば、特許文献１参照）。
【特許文献１】特開平７−３１１８０６号公報（段落「０００７」〜段落「００１６」、図１）
【発明の開示】
【発明が解決しようとする課題】
【０００３】
近年、金融機関等に設置される自動取引装置を利用した犯罪が増加する状況下において、その自動取引装置を利用する利用者が本人であることを確認することが犯罪を防止する上で重要になってきている。
しかしながら、上述した従来の技術においては、利用者が自動取引装置で振込取引を行なうときにも本人確認が必ず必要になった場合、キャッシュカードを利用して振込依頼人の口座から振込先の口座へ振り込むときは入力された暗証番号と登録された暗証番号の照合等により本人確認が行なわれるが、キャッシュカードを利用せず現金を投入して振り込む場合はその本人確認が行なわれないという問題がある。
【０００４】
このように利用者がキャッシュカードを利用せず現金で振り込む場合、金融機関等の営業店の窓口等で係員が振込依頼人から提示された自動車運転免許証や健康保険証等で本人確認を行なった上で現金で振り込むようにすることが考えられるが、そうすると営業店の窓口等の業務が増加し窓口の業務を機械化して減少させる目的に反する結果になるという問題がある。
【０００５】
本発明は、このような問題を解決することを課題とする。
【課題を解決するための手段】
【０００６】
そのため、本発明は、利用者が自動取引装置を操作して投入した現金の振込み取引を行なう現金自動振込みシステムにおいて、本人確認のための証明書のイメージデータを取得するスキャナ部と、センタ端末との間で情報の送受を行う第一の通信部と、利用者の本人確認が完了していることを示す本人確認カードを発行する媒体発行部とを有するリモート本人確認端末と、リモート本人確認端末との間で情報の送受を行う第二の通信部と、前記リモート本人確認端末から受信したイメージデータを表示する表示部と、オペレータが該表示部への表示に基づき利用者の本人確認ができた際に確認できた旨を入力する確認結果入力部と、該確認結果入力部への入力に応じて前記リモート本人確認端末に本人確認カードの発行を指示する第一の制御部とを有するセンタ端末と、本人確認カードの挿入を確認するためのカードリーダ部と、振込み取引のための操作案内および情報を入力する操作表示部と、振込み取引のための現金を受入れる入金部と、該操作表示部への入力情報および入金部へ入金された現金に基づきホストコンピュータとの間で情報を授受し振込処理を行う第二の制御部とを有する自動取引装置とを備え、振込み取引以前に前記本人確認カードを発行し、振込取引時に前記自動取引装置が前記本人確認カードの挿入を確認した後に振込処理を実行することを特徴とする。
【発明の効果】
【０００７】
このようにした本発明は、利用者が自動取引装置で現金による振込取引を行なう場合であっても容易に利用者の本人確認を行なうことができるという効果が得られる。
また、営業店の窓口等の業務を増加させることなく利用者の本人確認を行なうことができるという効果が得られる。
【発明を実施するための最良の形態】
【０００８】
以下、図面を参照して本発明による現金自動振込みシステムの実施例を説明する。
【実施例】
【０００９】
図１は第１の実施例における現金自動振込みシステムの構成を示すブロック図、図２は第１の実施例におけるリモート本人確認装置の構成を示すブロック図、図３は第１の実施例におけるセンタ端末の構成を示すブロック図である。
まず、現金自動振込みシステムの構成を図１に基づいて説明する。
図１において、１は自動取引装置であり、銀行等の金融機関の営業店等の拠点に設置されるものである。この自動取引装置１は利用者の操作により現金支払い、現金入金や振込み等の取引ができる現金自動入出金機等である。また、通信回線２に通信可能に接続されている。
【００１０】
この自動取引装置１は文言や図柄を表示する表示部および利用者の操作により各種情報が入力できる操作部で構成された利用者操作表示部、挿入されたカードに記録された情報を読み取り、また、情報の書き込みができ、明細票に印字等ができるカードリーダプリンタ部、紙幣または硬貨の入金や出金ができる入出金部等を備えた通常の自動取引装置である。
【００１１】
また、利用者操作表示部、カードリーダプリンタ部、入出金部等の全体を制御部が制御し、この制御部にはメモリ、磁気ディスク等で構成される記憶手段、通信回線２で接続された他の機器と通信を行なう通信制御手段等が備えられている。さらに、日時や時刻等を計測する手段であるカレンダーおよび時計機能等も有している。
３はホストコンピュータであり、銀行等の金融機関の事務センタ等のセンタに設置されるものである。このホストコンピュータ３は自動取引装置１との間で現金支払い、現金入金、振込み等の取引電文の送受信を行い利用者の取引を成立させるか否かを判断する。なお、ホストコンピュータ３は通信回線２を介して自動取引装置１等と相互に通信可能に接続されている。
【００１２】
４はリモート本人確認装置であり、銀行等の金融機関の営業店等の拠点に設置されるものである。このリモート本人確認装置４は通信回線２に通信可能に接続され、利用者の操作により書類等をスキャナで読取ったイメージデータやカメラで撮影した利用者の画像データを他の装置に送信することができ、また、他の装置から指令を受信してカードや紙面等の紙媒体を発行することができるものである。
【００１３】
このリモート本人確認端末４は、例えば、自動取引装置１の利用者が自動取引装置１を利用する前に本人確認をするために使用する。
ここで、本人確認とは利用者の氏名等がその本人のものであることを自動車運転免許証等の証明書類で確認することをいう。
５はセンタ端末であり、銀行等の金融機関の事務センタ等のセンタに設置されるものである。このセンタ端末５は通信回線２に通信可能に接続され、センタのオペレータ等の操作によりリモート本人確認装置４から受信した書類等のイメージデータおよび利用者の画像データを表示させることにより利用者の本人確認ができ、また、リモート本人確認装置４へカードや紙面等の媒体を発行する指令を送信することができる。
【００１４】
なお、リモート本人確認装置４およびセンタ端末５の詳細は後述する。
６は本人確認情報ファイルであり、センタ端末５でオペレータ等の操作により利用者の本人確認をしたときに使用した書類等のイメージデータおよび利用者の画像データ等の情報をセンタ端末５等のメモリや磁気ディスク等の記憶手段に記憶したものである。
なお、本実施例では、センタ端末５がセンタに設置されているものとして説明しているが、センタ端末５の配置はこれに限定されるものでなく、何れかの拠点に設置し、設置した拠点のリモート本人確認装置４との間や、通信回線２を介して他の拠点に設置したリモート本人確認装置４との間や、通信回線２を介してセンタに設置された本人確認情報ファイル６との間で、情報を授受しても構わない。
【００１５】
次に、リモート本人確認装置４の構成を図２に基づいて説明する。
図２において、２１は表示部であり、ＣＲＴ（Ｃａｔｈｏｄｅ  Ｒａｙ  Ｔｕｂｅ）ディスプレイや液晶ディスプレイ等で構成されたものである。この表示部２１には文言や図柄等を表示し、利用者の操作を誘導等する。また、利用者が入力した情報等を表示する。
２２は操作部であり、操作ボタンやタッチパネル等で構成されたものである。この操作部２２から利用者は各種情報等を入力する。
【００１６】
なお、表示部２１および操作部２２は表示部上にタッチパネル等の操作部を配置して構成したものであってもよい。
２３はスキャナ部であり、書類等を光学的に読取ることができるイメージリーダ等で構成されたものである。
２４はカメラ部であり、リモート本人確認装置４の前面に備えられ操作する利用者の顔や上半身等の映像を取得するものである。このカメラ部２４は静止画や動画を撮影することができるデジタルカメラ等で構成されたものである。
【００１７】
２５はマイク／スピーカ部であり、リモート本人確認装置４を操作する利用者とセンタ端末５を操作するオペレータとの会話を可能にするものである。なお、このマイク／スピーカ部２５を備えていない構成であってもよい。
２６は媒体発行部であり、カード発行機構、カード磁気ストライプ読取り書込み機構、紙面への印刷機構およびカードならびに紙面の搬送機構等を備えたものである。この媒体発行部２６は、受信した情報をカードの磁気ストライプに書き込みまたは書面に印刷することができるものである。情報を書き込んだカードは搬送機構によりカード放出口から放出して、印刷した書面は搬送機構により書面放出口から放出して利用者に渡すことができる。
【００１８】
２７は制御部であり、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段や図示しない記憶部、通信部等で構成されている。この制御部２７は表示部２１、操作部２２、スキャナ部２３、カメラ部２４、マイク／スピーカ部２５および媒体発行部２６を含めてリモート本人確認装置４全体の動作を記憶部に格納されたソフトウェアに基づいて制御する。
【００１９】
なお、記憶部は、半導体メモリや磁気ディスク等で構成され情報を格納して記憶し、記憶した情報を読取ることができるものであり、また、通信部は通信回線２を介して接続されたセンタ端末５等と相互にする通信を制御する手段であり、任意の情報を送信および受信することができる。さらに、日時や時刻等を計測する手段であるカレンダーおよび時計機能等も有している。
【００２０】
次に、センタ端末５の構成を図３に基づいて説明する。
図３において、３１は表示部であり、ＣＲＴ（Ｃａｔｈｏｄｅ  Ｒａｙ  Ｔｕｂｅ）ディスプレイや液晶ディスプレイ等で構成されたものである。この表示部２１には文言や図柄等を表示し、オペレータの操作を誘導等する。また、オペレータが入力した情報等を表示する。
【００２１】
３２は操作部であり、キーボード、操作ボタンやタッチパネル等で構成されたものである。この操作部３２からオペレータは各種情報等を入力する。
３３はマイク／スピーカ部であり、リモート本人確認装置４を操作する利用者とセンタ端末５を操作するオペレータとの会話を可能にするものである。なお、このマイク／スピーカ部３３を備えていない構成であってもよい。
【００２２】
３４は制御部であり、ＣＰＵ、ＭＰＵ等の演算および制御手段や図示しない記憶部、通信部等で構成されている。この制御部３４は表示部３１、操作部３２およびマイク／スピーカ部３３を含めてセンタ端末５全体の動作を記憶部に格納されたソフトウェアに基づいて制御する。
なお、記憶部は、半導体メモリや磁気ディスク等で構成され情報を格納して記憶し、記憶した情報を読取ることができるものであり、また、通信部は通信回線２を介して接続された自動取引装置１やリモート本人確認装置４等と相互にする通信を制御する手段であり、任意の情報を送信および受信することができる。さらに、日時や時刻等を計測する手段であるカレンダーおよび時計機能等も有している。
【００２３】
上述した構成の作用について説明する。
なお、以下に説明する各部の動作は、図示しない記憶部に格納されたプログラム（ソフトウェア）に基づいて図示しない制御部により制御される。
まず、リモート本人確認装置４およびセンタ端末５で行なう利用者の本人確認の動作を図４の第１の実施例における本人確認処理を示すフローチャートのＳで示すステップにしたがって説明する。
【００２４】
Ｓ１ａ：利用者はリモート本人確認装置４の表示部２１に表示された取引選択画面から本人確認処理を操作部２２で選択する。
Ｓ２ａ：利用者により本人確認処理が選択されるとリモート本人確認装置４は本人確認処理が選択された旨等の電文をセンタ端末５へ送信し、センタ端末５との論理的な通信の接続を確立する。
【００２５】
Ｓ３ａ：リモート本人確認装置４から本人確認処理が選択された旨等の電文を受信したセンタ端末５はその応答を返送しリモート本人確認装置４との論理的な通信の接続を確立する。
Ｓ４ａ：センタ端末５とリモート本人確認装置４との間の論理的な通信が確立するとリモート本人確認装置４は表示部２１に自動車運転免許証等の証明書を読取可能になるようにスキャナ部２３にセットすることを促すメッセージ等を表示する。利用者が証明書をリモート本人確認装置４のスキャナ部２３にセットし、操作部２２の開始ボタン等を押下するとスキャナ部２３はセットされた証明書を読取る。読取った証明書のイメージデータはリモート本人確認装置４の制御部２７の記憶部に記憶される。
【００２６】
Ｓ５ａ：リモート本人確認装置４のスキャナ部２３で証明書を読取るとリモート本人確認装置４のカメラ部２４は本人画像である利用者の画像を撮影する。撮影した本人画像データはリモート本人確認装置４の制御部２７の記憶部に記憶される。
Ｓ６ａ：リモート本人確認装置４は記憶部に記憶した証明書のイメージデータおよび本人画像データをセンタ端末５へ送信する。
【００２７】
Ｓ７ａ：証明書のイメージデータおよび本人画像データを受信したセンタ端末５は表示部３１にその証明書の画像および本人画像を表示する。オペレータは表示された証明書の内容を確認し、また、その証明書に貼付された本人の顔写真と表示された本人画像を確認し利用者本人であることを確認する。なお、証明書に本人の顔写真が貼付されていない場合、顔写真と本人画像の確認は必須でないものとする。
【００２８】
Ｓ８ａ：オペレータがリモート本人確認装置４を操作する利用者が本人であることを確認すると、確認完了の入力操作としてセンタ端末５の操作部３２の確認ボタン等を押下する。確認ボタンの押下に応じて信号が出力され、信号の出力に応じて制御部３４は、証明書のイメージデータおよび本人画像データを本人確認情報ファイル６に格納する。なお、このときセンタ端末５はオペレータにより入力された証明書の種別（例えば、自動車運転免許証等）、利用者本人と関連付ける情報（例えば、自動車運転免許証番号等）、氏名、電話番号等の利用者確認情報も証明書のイメージデータおよび本人画像データと合わせて本人確認情報ファイル６に格納する。
【００２９】
Ｓ９ａ：証明書のイメージデータ、本人画像データおよび上述した利用者確認情報を本人確認情報ファイル６に格納するとセンタ端末５はリモート本人確認装置４でカードを発行するため、カードを発行する指令とともにそのカードに記録する情報等をリモート本人確認装置４へ送信する。カードは、利用者の本人確認が完了していることを示すためのものであり、このカードに記録する情報は上述した利用者確認情報およびセンタ端末５の制御部３４で生成されたカードの有効期限等で構成されるものである。また、以上に加え、利用者の本人確認が完了していることを示すカードである旨を記録してもよい。なお、このカードの有効期限は使用できる期間を限定するものであってもよく、使用できる回数を限定するものであってもよい。
【００３０】
Ｓ１０ａ：センタ端末５からカードを発行する指令とともにそのカードに記録する情報等を受信したリモート本人確認装置４は媒体発行部２６でカードの磁気ストライプ等にカードに記録する情報を記録し、そのカードを放出して利用者に渡しカードの発行を完了する。
このようにして利用者の本人確認を終了する。
【００３１】
なお、本実施例において証明書は自動車運転免許証等としたが本人であることが確認できるものであれば健康保険証、住民票等であってもよい。また、証明書に顔写真が貼付されていない場合は顔写真と本人画像の確認は必須でなく、氏名や電話番号等を入力させて確認するようにしてもよい。
次に、リモート本人確認装置４で発行されたカードを持参した利用者が自動取引装置１で行う振込取引の動作を図５の第１の実施例における現金振込取引を示すフローチャートのＳで示すステップにしたがって説明する。
【００３２】
Ｓ２０ａ：利用者の接近を図示しないセンサ等で検知した自動取引装置１は利用者操作表示部に取引が選択できる取引選択画面を表示する。利用者は表示された取引選択画面から「現金による振込取引」を選択する。
Ｓ２１ａ：自動取引装置１は「現金による振込取引」が選択されるとリモート本人確認装置４で発行されたカードを挿入することを促す文言を利用者操作表示部に表示する。利用者はリモート本人確認装置４で発行されたカードを自動取引装置１のカード挿入口に挿入する。
【００３３】
Ｓ２２ａ：利用者がカードを挿入すると自動取引装置１のカードリーダプリンタ部は挿入されたカードが所定のカードであるかを判断し、カードに記録された利用者確認情報および有効期限等を読取る。
Ｓ２３ａ：カードから読取った有効期限が期限内であることを自動取引装置１が確認すると読取った利用者確認情報および有効期限等を記憶手段に記憶する。このようにして利用者が既にリモート本人確認装置４で本人確認がされていることを自動取引装置１において確認する。なお、有効期限が期限内であることの確認に加え、Ｓ２２ａにおいて利用者に氏名や電話番号を入力させ、その入力された氏名や電話番号とカードから読取った氏名や電話番号が一致することを確認するようにしてもよい。
【００３４】
Ｓ２４ａ：自動取引装置１での確認が終了すると以降、自動取引装置は通常の現金による振込取引を行なう。
Ｓ２５ａ：また、ホストコンピュータ３も以降の通常の現金による振込取引を行なう。
なお、自動取引装置１はカードから読取った利用者確認情報である利用者の氏名や電話番号は振込依頼人の氏名等として使用することができる。
【００３５】
以上説明したように、第１の実施例では、利用者が自動取引装置で現金による振込取引を行なう場合であっても容易に利用者の本人確認を行なうことができるという効果が得られる。
また、営業店の窓口等の業務を増加させることなく利用者の本人確認を行なうことができるという効果が得られる。
次に、本発明の第２の実施例を説明する。
【００３６】
第２の実施例の構成は第１の実施例の構成と同様なので同一の符号を付してその説明を省略する。
第２の実施例の構成の作用について説明する。なお、第２の実施例と第１の実施例の相違は、第１の実施例で利用者が本人であることが確認できると利用者確認情報を記録したカードを発行するようにしたが、第２の実施例ではパスワード等を印刷した紙媒体を発行するようにしたことである。
【００３７】
なお、以下に説明する各部の動作は、図示しない記憶部に格納されたプログラム（ソフトウェア）に基づいて図示しない制御部により制御される。
まず、リモート本人確認装置４およびセンタ端末５で行なう利用者の本人確認の動作を図６の第２の実施例における本人確認処理を示すフローチャートのＳで示すステップにしたがって説明する。
【００３８】
Ｓ１ｂ：利用者はリモート本人確認装置４の表示部２１に表示された取引選択画面から本人確認処理を操作部２２で選択する。
Ｓ２ｂ：利用者により本人確認処理が選択されるとリモート本人確認装置４は本人確認処理が選択された旨等の電文をセンタ端末５へ送信し、センタ端末５との論理的な通信の接続を確立する。
【００３９】
Ｓ３ｂ：リモート本人確認装置４から本人確認処理が選択された旨等の電文を受信したセンタ端末５はその応答を返送しリモート本人確認装置４との論理的な通信の接続を確立する。
Ｓ４ｂ：センタ端末５とリモート本人確認装置４との間の論理的な通信が確立するとリモート本人確認装置４は表示部２１に自動車運転免許証等の証明書を読取可能になるようにスキャナ部２３にセットすることを促すメッセージ等を表示する。利用者が証明書をリモート本人確認装置４のスキャナ部２３にセットし、操作部２２の開始ボタン等を押下するとスキャナ部２３はセットされた証明書を読取る。読取った証明書のイメージデータはリモート本人確認装置４の制御部２７の記憶部に記憶される。
【００４０】
Ｓ５ｂ：リモート本人確認装置４のスキャナ部２３で証明書を読取るとリモート本人確認装置４のカメラ部２４は本人画像である利用者の画像を撮影する。撮影した本人画像データはリモート本人確認装置４の制御部２７の記憶部に記憶される。
Ｓ６ｂ：リモート本人確認装置４は記憶部に記憶した証明書のイメージデータおよび本人画像データをセンタ端末５へ送信する。
【００４１】
Ｓ７ｂ：証明書のイメージデータおよび本人画像データを受信したセンタ端末５は表示部３１にその証明書の画像および本人画像を表示する。オペレータは表示された証明書の内容を確認し、また、その証明書に貼付された本人の写真と表示された本人画像を確認し利用者本人であることを確認する。なお、証明書に本人の顔写真が貼付されていない場合、顔写真と本人画像の確認は必須でないものとする。
【００４２】
Ｓ８ｂ：オペレータがリモート本人確認装置４を操作する利用者が本人であることを確認すると、確認完了の入力操作としてセンタ端末５の操作部３２の確認ボタン等を押下する。その本人確認ボタン等が押下されると押下に応じて信号が出力され、信号の出力に応じてセンタ端末５の制御部３４は利用者に対して一意なものとなるようにＩＤ（ＩＤｅｎｔｉｔｙ）番号、パスワードおよびＩＤ番号の有効期限を生成する。
【００４３】
なお、パスワードはセンタ端末５が生成するのでなく、確認ボタンの押下に応じて出力される信号に応じてセンタ端末５がリモート確認端末４にパスワードの取得を指示し、これに応じてリモート確認端末４は、パスワードの入力を促すメッセージを表示し入力されたパスワードをセンタ端末５に送信することにより、利用者が入力したパスワードを用いてもよい。
【００４４】
Ｓ９ｂ：センタ端末５の制御部３４はＩＤ番号およびパスワード等を生成するとそのＩＤ番号に関連付けてパスワード、証明書のイメージデータおよび本人画像データを本人確認情報ファイル６に格納する。なお、このときセンタ端末５はオペレータにより入力された証明書の種別（例えば、自動車運転免許証等）、利用者本人と関連付ける情報（例えば、自動車運転免許証番号等）、氏名、電話番号等の利用者確認情報もパスワード、ＩＤ番号の有効期限、証明書のイメージデータおよび本人画像データと合わせてＩＤ番号に関連付けて本人確認情報ファイル６に格納する。
【００４５】
Ｓ１０ｂ：パスワード、証明書のイメージデータ、本人画像データおよび上述した利用者確認情報を本人確認情報ファイル６に格納するとセンタ端末５はリモート本人確認装置４でＩＤ番号、パスワードおよびＩＤ番号の有効期限を印刷した紙媒体を発行するため、紙媒体を発行する指令とともにその紙媒体に印刷する情報等をリモート本人確認装置４へ送信する。この紙媒体に印刷する情報は上述したＩＤ番号、パスワード、ＩＤ番号の有効期限および利用者確認情報等で構成されるものである。
【００４６】
なお、このＩＤ番号の有効期限は使用できる期間を限定するものであってもよく、使用できる回数を限定するものであってもよい。また、Ｓ８ｂにおいて利用者がリモート本人確認装置４からパスワードを入力するようにした場合、パスワードはリモート本人確認装置４へ送信しないようにしてもよい。したがって、パスワードを紙媒体に印刷しないようにしてもよい。
【００４７】
Ｓ１１ｂ：センタ端末５からＩＤ番号およびパスワードを印刷した紙媒体を発行する指令とともにその紙媒体に印刷する情報等を受信したリモート本人確認装置４は媒体発行部２６でＩＤ番号、パスワードおよびＩＤ番号の有効期限等を印刷した紙媒体を放出して利用者に渡し紙媒体の発行を完了する。
このようにして利用者の本人確認を終了する。
【００４８】
なお、本実施例において証明書は自動車運転免許証等としたが本人であることが確認できるものであれば健康保険証、住民票等であってもよい。また、証明書に顔写真が貼付されていない場合は顔写真と本人画像の確認は必須でなく、氏名や電話番号等を入力させて確認するようにしてもよい。
次に、リモート本人確認装置４で発行された紙媒体からＩＤ番号およびパスワードを知得した利用者が自動取引装置１で行う振込取引の動作を図７の第２の実施例における現金振込取引を示すフローチャートのＳで示すステップにしたがって説明する。
【００４９】
Ｓ２０ｂ：利用者の接近を図示しないセンサ等で検知した自動取引装置１は利用者操作表示部に取引が選択できる取引選択画面を表示する。利用者は表示された取引選択画面から「現金による振込取引」を選択する。
Ｓ２１ｂ：自動取引装置１は「現金による振込取引」が選択されるとリモート本人確認装置４で発行されたＩＤ番号およびパスワードの入力を促す文言を利用者操作表示部に表示する。利用者はＩＤ番号およびパスワードを自動取引装置１の利用者表示操作部から入力する。
【００５０】
Ｓ２２ｂ：利用者がＩＤ番号およびパスワードを入力すると自動取引装置１の制御部は入力されたＩＤ番号およびパスワードをセンタ端末５へ送信する。
Ｓ２３ｂ：ＩＤ番号およびパスワードを受信したセンタ端末５の制御部３４はそのＩＤ番号で本人確認情報ファイル６を検索し格納されたパスワードを抽出する。センタ端末５の制御部３４は自動取引装置１から受信したパスワードと本人確認情報ファイル６から抽出したパスワードを照合し一致するか否かの確認（本人認証）およびＩＤ番号の有効期限が期限内であることを確認（有効期限確認）することで現金による振込取引の可否判断を行なう。照合した結果が一致し、ＩＤ番号の有効期限が期限内であるとき現金による振込取引が可能であると判断する。
【００５１】
Ｓ２４ｂ：センタ端末５の制御部３４が本人認証を行なうとその本人認証の結果および本人確認情報ファイル６に格納した利用者確認情報を自動取引装置１へ送信する。
Ｓ２５ｂ：センタ端末５は利用者確認情報とともに本人確認情報ファイル６に記憶された利用者のＩＤ番号の使用実績の記録、有効期限の更新等を行う。
Ｓ２６ｂ：自動取引装置１は受信した本人認証の結果および利用者確認情報を記憶手段のファイル等に記録する。
【００５２】
Ｓ２７ｂ：センタ端末５から受信した本人認証の結果で自動取引装置１を操作する利用者が本人であることが確認できると以降、自動取引装置１は通常の現金による振込取引を行なう。
Ｓ２８ｂ：また、ホストコンピュータ３も以降の通常の現金による振込取引を行なう。
なお、自動取引装置１はセンタ端末５から受信した利用者確認情報である利用者の氏名や電話番号は振込依頼人の氏名等として使用することができる。
【００５３】
また、本実施例ではリモート本人確認装置４の媒体発行部２６がＩＤ番号とパスワードを紙媒体に印刷して発行するようにしたが、印刷せず表示部２１で表示するようにしてもよい。さらに、パスワードを発行せず、ＩＤ番号だけの発行であってもよい。
また、本実施例では、センタ端末５が本人確認情報ファイル６を参照してパスワードの照合を行う例を説明したが、センタ端末５に代えてホストコンピュータ３が本人確認情報ファイル６を参照してパスワードの照合や有効期限の確認を行なってもよい。
【００５４】
また、ＩＤ番号およびパスワードを印刷した紙媒体の発行に代えて、第１の実施例と同様にカード媒体を発行するものとし、ＩＤ番号をカード媒体に記録し、Ｓ２１ｂにおいて、カード媒体の挿入を促すことで、ＩＤ番号の入力を省略させてもよい。
以上説明したように、第２の実施例では、第１の実施例の効果に加え、紙媒体にＩＤ番号等を印刷して利用者に発行するため、コストを低く抑えることができるという効果が得られる。
【図面の簡単な説明】
【００５５】
【図１】第１の実施例における現金自動振込みシステムの構成を示すブロック図
【図２】第１の実施例におけるリモート本人確認装置の構成を示すブロック図
【図３】第１の実施例におけるセンタ端末の構成を示すブロック図
【図４】第１の実施例における本人確認処理を示すフローチャート
【図５】第１の実施例における現金振込取引を示すフローチャート
【図６】第２の実施例における本人確認処理を示すフローチャート
【図７】第２の実施例における現金振込取引を示すフローチャート
【符号の説明】
【００５６】
１    自動取引装置
２    通信回線
３    ホストコンピュータ
４    リモート本人確認装置
５    センタ端末
６    本人確認情報ファイル
２１、３１  表示部
２２、３２  操作部
２３  スキャナ部
２４  カメラ部
２５、３３  マイク／スピーカ部
２６  媒体発行部
２７、３４  制御部
【図１】
2006338278.tif 000003
【図２】
2006338278.tif 000004
【図３】
2006338278.tif 000005
【図４】
2006338278.tif 000006
【図５】
2006338278.tif 000007
【図６】
2006338278.tif 000008
【図７】
2006338278.tif 000009